(57)【要約】      （修正有）【課題】レンズ部、眼鏡フレーム部、及びサンシェードクリップを各々分離させた部材として提供し、この分離された部材たちが互いに組合されることによって、様々な利用者の嗜好に合わせることができる眼鏡の構成を提供する。【解決手段】様々なデザインのレンズ部１、眼鏡フレーム５０と、サンシェードクリップ１００の中から選択されたデザインのレンズ部１、眼鏡フレーム５０及びサンシェードクリップ１００が、フレームマグネットＭ１、眼鏡マグネットＭ２、及びクリップマグネットＭ３によって結合して眼鏡組合体を構成する。【選択図】図２
2006178478.tif 000002
【特許請求の範囲】
【請求項１】
眼鏡レグ（５１）と一体、或はヒンジ連結される眼鏡枠であり様々なデザインのフレームバー（５５）、前記フレームバー（５５）の中央部の後方へ延長され、１個以上のフレームマグネット（Ｍ１）が設けられたマグネット片（５６）を有する眼鏡フレーム部（５０）と、
眼鏡レンズ（１０，１１）が眼鏡ブリッジ（１５）によって固定され、前記眼鏡ブリッジ（１５）に前記フレームバー（５５）のマグネット片（５６）に対応した位置に概略断面コ字形のインサート（２０）を有し、前記インサート（２０）の上下のインサート片（２１，２２）に眼鏡マグネット（Ｍ２）を１個以上固定して有する様々なデザインのレンズ部（１）と、
サングラスレンズ（１０１，１０２）がサンシェードブリッジ（１０５）によって結合固定され、前記サンシェードブリッジ（１０５）に、前記眼鏡（１）の前記インサート（２０）と前記フレームバー（５５）の前記マグネット片（５６）が結合した結合体を収容し、上下のインサート片（１１１，１１２）にクリップマグネット（Ｍ３）を１個以上固定して有する締結インサート（１１０）を備える様々なデザインのサンシェードクリップ（１００）を備え、
前記様々なデザインのレンズ部（１）と前記眼鏡フレーム（５０）と、前記サンシェードクリップ（１００）の中から選択されたデザインのレンズ部１，眼鏡フレーム５０、及びサンシェードクリップ１００が、前記フレームマグネット（Ｍ１）、眼鏡マグネット（Ｍ２）及びクリップマグネット（Ｍ３）によって結合して眼鏡組合体を構成することを特徴とする組合せ可能な眼鏡・サンシェードクリップアセンブリー。 
【請求項２】
前記サンシェードクリップ（１００）の締結インサート（１１０−１）は概略断面が横Ｌ字形状に変更され前記レンズ部（１）のインサート２０の上方に掛かりながら磁力固定することができることを特徴とする請求項１に記載の組合せ可能な眼鏡・サンシェードクリップアセンブリー。 
【請求項３】
前記サンシェードクリップ（１００）の締結インサートは、板状のマグネット片（１１０−２）に変更されるとともにクリップマグネット（Ｍ３）を備え、前記レンズ部（１）のインサート（２０）のフレームマグネット（Ｍ２）と磁力固定することができることを特徴とする請求項１に記載の組合せ可能な眼鏡・サンシェードクリップアセンブリー。 
【請求項４】
前記サンシェードクリップ（１００）の締結インサートは、単純な板状のマグネット片（１１０−３）に変更されて、そこにクリップマグネット（Ｍ３）を設け、他方前記レンズ部（１）の眼鏡ブリッジ（１５）の中央部の前記のインサート（２０）を板状のマグネット片（２０−１）として、そこに眼鏡マグネット（Ｍ２）を設け、
前記レンズ部（１）の眼鏡ブリッジ（１５）のマグネット片（２０−１）、眼鏡フレーム部（５０）のマグネット片（５６），及びサンシェードクリップ（１００）のマグネット片（１１０−３）は、上下順次の選択的な組合せで結合が可能なことを特徴とする請求項１に記載の組合せ可能な眼鏡・サンシェードクリップアセンブリー。 
【請求項５】
眼鏡レグ（２５１）がヒンジレグ（２５２）にヒンジ連結され、レンズフレーム（２５５）が眼鏡ブリッジ（２５６）によって連結され、前記ヒンジレグ（２５２）の内側にフレームマグネット（Ｍ１）を収容するマグネットホルダ（２５２−１）を備えてなる様々なデザインの眼鏡フレーム部（２５０）と、
様々なデザインのレンズフレーム（２０１）を持ち、前記レンズフレーム（２０１）の両端部に前記眼鏡フレーム部（２５０）のヒンジレグ（２５２）のフレームマグネット（Ｍ１）と結合する眼鏡マグネット（Ｍ２）が固定されたマグネットホルダ（２１０）が設けられ、レンズフレーム（２０１）のブリッジ部である眼鏡ブリッジ（２０５）は水平な板状の磁性作用を有する磁性材料からなる金属部材で形成され、その眼鏡ブリッジ部（２０５）が眼鏡フレーム部（２５０）のフレームブリッジ（２５５）の上方あるいは下方に位置するレンズ部（２００）と、
サンシェードレンズを連結するサンシェードブリッジ（３０５）に前記レンズフレーム（２０１）の眼鏡ブリッジ（２０５）を挿入して収容する締結インサート（３１０）およびクリップマグネット（Ｍ３）を備えたサンシェードクリップ（３０）とを含み、
前記レンズ部（２００）の眼鏡マグネット（Ｍ２）、眼鏡フレーム部（２５０）のフレームマグネット（Ｍ１）サンシェードクリップ（３００）の締結インサート（３１０）におけるクリップマグネット（Ｍ３）の磁力によりマグネット結合して構成されることを特徴とする組合せ可能な眼鏡・サンシェードクリップアセンブリー。 
【請求項６】
前記各々のマグネット部材が１個以上備えられ、若しくはマグネット部材の代わりにマグネットの固定部材自体が着磁されて磁化されたもの、或いは磁力作用を有する磁性部材から選択して代替構成が可能なことを特徴とする請求項１ないし請求項５のいずれか１項に記載の組合せ可能な眼鏡・サンシェードクリップアセンブリー。
【発明の詳細な説明】
【発明が属する技術分野及びその分野の従来技術】
【０００１】
本発明は組合せ可能な眼鏡とサンシェードクリップとのアセンブリーに関するものであり、眼鏡レンズを有するレンズ部と、眼鏡フレーム部、サンシェードクリップをそれぞれ分離して構成し使用者の嗜好に合わせて組合せ利用することで、色々な種類の眼鏡を提供することができる構成に関するものである。
【発明の開示】
【発明が解決しようとする課題】
【０００２】
本発明の組合せ可能な眼鏡とサンシェードクリップとのアセンブリーはレンズ部、眼鏡フレーム部、及びサンシェードクリップを各々分離させた部材として提供し、この分離された部材たちが互いに組合されることによって、様々な利用者の嗜好に合わせることができる構成を提供することを目的とする。
【０００３】
さらに、本発明は眼鏡組合体に対して選択的に着脱が可能なサンシェードクリップをマグネットの手段にて提供することで、自動車の走行中またはスポーツなどの変化する照度の環境に適合させて用いることができるようにし、それにより専用のサングラスが必要ではなくなるから、便利な効果を得ることができる。
【課題を解決するための手段】
【０００４】
上記課題を解決するために、本発明の組合せ可能な眼鏡・サンシェードクリップアセンブリーは、眼鏡レグ（５１）と一体、或はヒンジ連結される眼鏡枠であり様々なデザインのフレームバー（５５）、前記フレームバー（５５）の中央部の後方へ延長され、１個以上のフレームマグネット（Ｍ１）が設けられたマグネット片（５６）を有する眼鏡フレーム部（５０）と、
眼鏡レンズ（１０，１１）が眼鏡ブリッジ（１５）によって固定され、前記眼鏡ブリッジ（１５）に前記フレームバー（５５）のマグネット片（５６）に対応した位置に概略断面コ字形のインサート（２０）を有し、前記インサート（２０）の上下のインサート片（２１，２２）に眼鏡マグネット（Ｍ２）を１個以上固定して有する様々なデザインのレンズ部（１）と、
サングラスレンズ（１０１，１０２）がサンシェードブリッジ（１０５）によって結合固定され、前記サンシェードブリッジ（１０５）に、前記眼鏡（１）の前記インサート（２０）と前記フレームバー（５５）の前記マグネット片（５６）が結合した結合体を収容し、上下のインサート片（１１１，１１２）にクリップマグネット（Ｍ３）を１個以上固定して有する締結インサート（１１０）を備える様々なデザインのサンシェードクリップ（１００）を備え、
前記様々なデザインのレンズ部（１）と前記眼鏡フレーム（５０）と、前記サンシェードクリップ（１００）の中から選択されたデザインのレンズ部１，眼鏡フレーム５０、及びサンシェードクリップ１００が、前記フレームマグネット（Ｍ１）、眼鏡マグネット（Ｍ２）及びクリップマグネット（Ｍ３）によって結合して眼鏡組合体を構成することを特徴とする。
【０００５】
本発明の組合せ可能な眼鏡・サンシェードクリップアセンブリーは、サンシェードクリップ（１００）の締結インサート（１１０−１）は概略断面が横Ｌ字形状に変更され前記レンズ部（１）のインサート２０の上方に掛かりながら磁力固定することができることを特徴とする。 
【０００６】
本発明の組合せ可能な眼鏡・サンシェードクリップアセンブリーは、サンシェードクリップ（１００）の締結インサートは、板状のマグネット片（１１０−２）に変更されるとともにクリップマグネット（Ｍ３）を備え、前記レンズ部（１）のインサート（２０）のフレームマグネット（Ｍ２）と磁力固定することができることを特徴とする。 
【０００７】
本発明の組合せ可能な眼鏡・サンシェードクリップアセンブリーは、サンシェードクリップ（１００）の締結インサートは、単純な板状のマグネット片（１１０−３）に変更されて、そこにクリップマグネット（Ｍ３）を設け、他方前記レンズ部（１）の眼鏡ブリッジ（１５）の中央部の前記のインサート（２０）を板状のマグネット片（２０−１）として、そこに眼鏡マグネット（Ｍ２）を設け、
前記レンズ部（１）の眼鏡ブリッジ（１５）のマグネット片（２０−１）、眼鏡フレーム部（５０）のマグネット片（５６），及びサンシェードクリップ（１００）のマグネット片（１１０−３）は、上下順次の選択的な組合せで結合が可能なことを特徴とする。 
【０００８】
本発明の組合せ可能な眼鏡・サンシェードクリップアセンブリーは、眼鏡レグ（２５１）がヒンジレグ（２５２）にヒンジ連結され、レンズフレーム（２５５）が眼鏡ブリッジ（２５６）によって連結され、前記ヒンジレグ（２５２）の内側にフレームマグネット（Ｍ１）を収容するマグネットホルダ（２５２−１）を備えてなる様々なデザインの眼鏡フレーム部（２５０）と、
様々なデザインのレンズフレーム（２０１）を持ち、前記レンズフレーム（２０１）の両端部に前記眼鏡フレーム部（２５０）のヒンジレグ（２５２）のフレームマグネット（Ｍ１）と結合する眼鏡マグネット（Ｍ２）が固定されたマグネットホルダ（２１０）が設けられ、レンズフレーム（２０１）のブリッジ部である眼鏡ブリッジ（２０５）は水平な板状の磁性作用を有する磁性材料からなる金属部材で形成され、その眼鏡ブリッジ部（２０５）が眼鏡フレーム部（２５０）のフレームブリッジ（２５５）の上方あるいは下方に位置するレンズ部（２００）と、
サンシェードレンズを連結するサンシェードブリッジ（３０５）に前記レンズフレーム（２０１）の眼鏡ブリッジ（２０５）を挿入して収容する締結インサート（３１０）およびクリップマグネット（Ｍ３）を備えたサンシェードクリップ（３０）とを含み、
前記レンズ部（２００）の眼鏡マグネット（Ｍ２）、眼鏡フレーム部（２５０）のフレームマグネット（Ｍ１）サンシェードクリップ（３００）の締結インサート（３１０）におけるクリップマグネット（Ｍ３）の磁力によりマグネット結合して構成されることを特徴とする。 
【０００９】
本発明の組合せ可能な眼鏡・サンシェードクリップアセンブリーは、各々のマグネット部材が１個以上備えられ、若しくはマグネット部材の代わりにマグネットの固定部材自体が着磁されて磁化されたもの、或いは磁力作用を有する磁性部材から選択して代替構成が可能なことを特徴とする。
【発明の効果】
【００１０】
以上のような本発明の組合せ可能な眼鏡とサンシェードクリップとのアセンブリーは、眼鏡フレームを基本的な部材とし、この眼鏡フレームに対して様々なデザインで提供される眼鏡レンズを備えるレンズ部とサンシェードクリップを選択的な組合せで構成することにより、色々なデザイン及び作用の眼鏡とサンシェードクリップとのアセンブリーを提供することができる効果を有する。
【発明を実施するための最良の形態】
【００１１】
以下の添付された図面とともに本発明の組合せ可能な眼鏡とサンシェードクリップアセンブリーをさらに詳細に説明する。
以下では、レンズ部１と眼鏡フレーム部５０，サンシェードクリップ１００は左右対称的な部材であるため、対称の一方だけを単一の部材番号を使用して説明し、各々他の変形された構成でも同じ部材を指称するときは同一な部材番号で説明する。
【００１２】
本発明の組合せ可能な眼鏡とサンシェードクリップとのアセンブリーはレンズ部１と、レンズ部１にマグネット付着される眼鏡フレーム部５０，レンズ部１と眼鏡フレーム部５０に取り付けられるサンシェードクリップ１００とが選択的に組み合わされる構成を有しており、各々の部材の着脱はマグネットで行われ、さらにマグネットは互いに付着する磁極として形成される（一方がＳ極なら他方はＮ極）ことは勿論である。
【００１３】
基本部材の眼鏡フレーム部５０は、例示的に表せば、図１から図５の第１実施例に表すように、眼鏡レグ５１を有するフレームバー５５の形状を備えている。眼鏡レグ５１は図面ではヒンジがない形状を表しているが、ヒンジ式のものをはじめどのような形状のものも用いることができる。
【００１４】
フレームバー５５は眼鏡レグ５１と一体あるいはヒンジの連結によって構成され、レンズ部１とサンシェードクリップ１００が付着される基本的なフレーム部であり、一般的な眼鏡のレンズ枠の上端部分の形状が例示的に図示される。
【００１５】
フレームバー５５の中央部(ブリッジ部)では、図に示すように後方に延長されたマグネット片５６である金属片で一体的に固定され、このマグネット片５６には1個以上の高磁力のフレームマグネットＭ１が、インサート固定などの方法で固定されるか、或いはマグネット片５６自体を磁化のマグネットで構成することができる。
【００１６】
これに対応してレンズ部１はやはり図１から図３に表すように、例示的に眼鏡枠を持たず、眼鏡レンズ１０、１１が眼鏡ブリッジ１５とボルトＢなどで互いに固定連結され、眼鏡ブリッジ１５の中央部には、この眼鏡フレーム部５０のフレームバー５５のマグネット片５６に対応する位置に概略断面“コ”字形のインサート２０が固定されている。インサート２０を構成する上下のインサート片２１、２２（図４参照）には、１個以上の眼鏡マグネットＭ２が固定される。しかしながら、レンズ部１は、このような枠無し構成の他に、金属材などの眼鏡枠を有する構成においても適用することができることは勿論である。
【００１７】
このような構成として、レンズ部１のインサート２０に、眼鏡フレーム５０のフレームバー５５のマグネット片５６が挿入されて、フレームマグネットＭ１と眼鏡マグネットＭ２の互いの磁力による吸着力で固定される。
【００１８】
したがって、使用者は、色々なデザインと色彩で複数個提供されるレンズ部１の中から、選択して眼鏡フレーム部５０と結合するので、デザインと着用の雰囲気が異なる複数個の眼鏡アセンブリーを組み合わせて有すことが可能になる。
【００１９】
このような構成に付け加えて、レンズ部１と眼鏡フレーム部５０の組合体にさらにサングラスの役割を与えるための構成が、サンシェードクリップ１００である。
【００２０】
サンシェードクリップ１００はやはりいろいろな形状体であるが、例示的に示しているものは、レンズ枠のない板状のサングラスのレンズ１０１、１０２が、射出成形材などのサンシェードブリッジ１０５によって結合固定されたものであることが望ましいが、サングラスのレンズ枠を備える構成を用いることができることは勿論である。
【００２１】
サンシェードクリップ１００のサンシェードブリッジ１０５には、レンズ部１のインサート２０とフレームバー５５のマグネット片５６との結合体に対応する位置に、概略断面“コ”字形状の締結インサート１１０を、サンシェードブリッジ１０５と一体成形した射出成形体により備えており、締結インサート１１０を構成する上下のインサート片１１１，１１２（図５参照）にはクリップマグネットＭ３を1個以上インサートして備える。 
【００２２】
サンシェードクリップ１００の締結インサート１１０の上下のインサート片１１１、１１２の開放幅Ｔ（図２参照）は、レンズ部1のインサート２０と眼鏡フレーム部５０のフレームバー５５のマグネット片５６とが挿入されて構成する結合体が収容できる程度の幅を有する。
【００２３】
前記の構成で使用者はレンズ部１と眼鏡フレーム部５０の結合体に選択的にサンシェードクリップ１００の締結インサート１１０を挿入または離脱させることで、使用環境に応じて、サングラスを着用したり、着用しないことができる効果を有するようになる。
【００２４】
本発明の組合せ可能な眼鏡とサンシェードクリップとのアセンブリーは、その目的を達成するように複数個のデザインのレンズ部１と眼鏡フレーム部５０及びサンシェードクリップ１００がセットで提供され、使用者は提供されるセット中に嗜好に合う組合せで、複数個の眼鏡とサンシェードクリップとのアセンブリーを構成することができる。
【００２５】
本発明の第１実施例の第１変形例としては、図６に表すように、他の部材の構成は同一にし、サンシェードクリップ１００の締結インサート１１０−１を概略断面“横Ｌ”字形状にすることで、レンズ部１のインサート２０の上方に掛止されて、付着される形状とすれば、その着用および離脱がもっと容易にできるのである。
【００２６】
本発明の第１実施例の第２変形例としては、さらに図7のように、他の部材の構成は同一にし、サンシェードクリップ１００の前記締結インサートの代わりに、単純な板状のマグネット片１１０−２としてクリプマグネットＭ３を提供しても、マグネット自体の磁力でやはり同一な作用・効果があることを示している。本変形例では、サンシェードクリップ１００をレンズ部１のマグネットＭ２に対し、その上側からでも下側からでも、上下のどの向きにも付着できることを表している。またこの本実施の形態では、サンシェードクリップ１００がサンシェードレンズ１０１、１０２のレンズ枠１２０を備えることを例示的に表している。
【００２７】
本発明の第１実施例の第３変形例では図８のように、サンシェードクリップ１００の締結インサートを単純な板状のマグネット片１１０−３としてクリップマグネットＭ３を設け、レンズ部１の眼鏡ブリッジ１５の中央部の前記のインサート２０もまた板状のマグネット片２０−１として、眼鏡マグネットＭ２を設けて構成している。
【００２８】
このような構成では、レンズ部１の眼鏡ブリッジ１５のマグネット片２０−１、眼鏡フレーム部５０のマグネット片５６、サンシェードクリップ１００のマグネット片１１０−３のこの順番に上下順次の結合、若しくはサンシェードクリップ１００のマグネット片１１０−３、レンズ部１の眼鏡ブリッジ１５のマグネット片２０−１、眼鏡フレーム部５０のマグネット片５６のこの順での上下順次の結合などのように、選択的な上下順次のマグネット片によって重なる組合せを構成するので、いろいろな結合体を構成することができるようになる。
【００２９】
図９ないし図１０は第２実施例の構成を表している。
本実施例では眼鏡フレーム２５０は様々なデザインと色彩を有する一般的な構成の眼鏡の形状を持ち、眼鏡レグ２５１がヒンジレグ２５２にヒンジ連結され、眼鏡レンズを収容しないレンズフレーム２５５（レンズ無フレーム）が、眼鏡ブリッジ２５６によって連結された構成が例示的に提供される。
【００３０】
ヒンジレグ２５２の内側には、フレームマグネットＭ１を収容するマグネットホルダ２５２−１が固定されている。
これに対して眼鏡レンズを収容するレンズ部２００は、様々な形状のレンズフレーム２０１によって眼鏡レンズ２０２、２０３が収容されている形状であり、レンズフレーム２０１の両端部には前記眼鏡フレーム２５０のヒンジレグ２５２のフレームマグネットＭ１と結合する眼鏡マグネットＭ２が固定されたマグネットホルダ２１０を備えている。
【００３１】
眼鏡ブリッジ２０５は水平な板状の磁力作用を有する磁性材料で構成される金属部材で、眼鏡フレーム２５０のフレームブリッジ２５５の上方あるいは下方に位置する。
【００３２】
サングラスの役割をするサンシェードクリップ３００は、第１実施例の構成と同様に、サンシェードブリッジ３０５に概略断面“コ”字形状の締結インサート３１０及びクリップマグネットＭ３を１個以上インサートして備えたものを用いることができる。
【００３３】
前記の構成で、まず、レンズ部２００のレンズフレーム２０１の両端部の眼鏡マグネットＭ２を眼鏡フレーム部２５０のヒンジレグ２５２のフレームマグネットＭ１と磁力で結合して固定し、眼鏡フレーム部２５０のフレームブリッジ２５６の上方あるいは下方に位置するようにする。さらにレンズ部２００の眼鏡ブリッジ２０５に対し、これを挟み込むようにサンシェードクリップ３００の締結インサート３１０を装着し、マグネットＭ３と眼鏡ブリッジ（磁性材料）との磁力結合により、マグネット固定する。
【００３４】
前記の構成によって、使用者は様々な形状とデザインの眼鏡フレーム部２５０に対して、嗜好に合うようにサンシェードクリップ３００とレンズ部２００を交換して使用することができる。
【００３５】
図１０は、眼鏡フレーム部２５０が他の形状にすることができることを図示している。この例では、眼鏡フレーム部２５０−１の下方のフレーム２５５−１は、上方が省略されたハーフ（Half）体で、色々な色彩の基本レンズ２６１、２６２がストリングＳで固定された構成であり、レンズ部２００、眼鏡フレーム部２５０−１、及びサンシェードクリップ３００が、互いに組み合わされて様々な効果が得られることを開示している。なお、図の円中Ａは、コ字形断面の締結インサート３１０がサンシェードクリップ３００の両端部に位置し、締結インサート３１０がレンズ部２００のレンズフレーム２０１の両端部の眼鏡マグネットＭ２と、眼鏡フレーム部２５０のヒンジレグ２５２のフレームマグネットＭ１とが磁力で結合して固定された後に、それらの結合体を挟み込むようにインサート固定できる変形例を図示する。
【００３６】
前記の実施例では、眼鏡フレームのフレームマグネット、レンズ部の眼鏡マグネット、サンシェードクリップの締結インサートのクリップマグネットの複数個のマグネットを用いているが、これに代えて対応して付着する部材間のいずれのものを、磁石に吸着される物質である磁性材料(magnetic material)で構成し、他方の側にだけマグネットを取り付けたり、対応して付着する部材のいずれかの部材自体を磁化機によって磁化させたマグネットで構成しても同一な構成としての作用効果を得ることができることは勿論である。
【図面の簡単な説明】
【００３７】
【図１】本発明の組合せ可能な眼鏡とサンシェードクリップとのアセンブリーの第１実施例とが組み合された状態における例示的な構成の斜視図。
【図２】図１の組合せ前の分離された状態を表す斜視図。
【図３】図２の構成の要部のＡ部をレンズ部の後方側から眺めた部分斜視図。
【図４】レンズ部と眼鏡フレーム部だけの結合関係を表す斜視図。
【図５】レンズ部、眼鏡フレーム部、及びサンシェードクリップの組合せ関係を表す部分斜視図。
【図６】第１実施例の採択可能なサンシェードクリップの第１変形例を表す部分斜視図。
【図７】第１実施例の採択可能なサンシェードクリップの第２変形例を表す部分斜視図。
【図８】本発明の第１実施例の第３変形例を表す部分斜視図。
【図９】本発明の第２実施例の構成を表す組合せ前の状態を表す斜視図。
【図１０】本発明の第２実施例の変形例を表す組合せ前の状態を表す斜視図。
【符号の説明】
【００３８】
１  レンズ部 
５０  サンシェードクリップ
【図１】
2006178478.tif 000003
【図２】
2006178478.tif 000004
【図３】
2006178478.tif 000005
【図４】
2006178478.tif 000006
【図５】
2006178478.tif 000007
【図６】
2006178478.tif 000008
【図７】
2006178478.tif 000009
【図８】
2006178478.tif 000010
【図９】
2006178478.tif 000011
【図１０】
2006178478.tif 000012